(57)【要約】  ＯＦＤＭセルラー通信ネットワークのセルにおいてサイクリックプリフィックス（ＣＰ）長を遅延拡散に適応させるためのシステムおよび方法。該システムは、ネットワーク内の全セルで最長の遅延拡散を決定し、セル内の遅延拡散を決定する。セルの遅延拡散が最長の遅延拡散に等しい場合、セル用のＣＰ長は、最長の遅延拡散に等しいまたはそれより長い値に設定される。しかしながら、セルの遅延拡散が最長の遅延拡散より短い場合、セル用のＣＰ長は、セルの遅延拡散に等しくまたはそれより長く、かつ最長の遅延拡散より短い値に設定される。全てのユーザ端末がブロードキャストを受信可能であることを保証するため、ブロードキャストユニットは、セルのＣＰ長の値を、最長の遅延拡散に等しいまたはそれより長いＣＰ長を用いてダウンリンク同期チャネル（ＤＳＣＨ）に載せてブロードキャストする。
2008545313.tif 000002
【特許請求の範囲】
【請求項１】
直交周波数分割多重方式（ＯＦＤＭ）セルラー通信システムにおいてサイクリックプリフィックスの長さを遅延拡散に適応させる方法であって、
前記セルラー通信システム内の全セルで最長の遅延拡散である最長の遅延拡散を決定するステップと、
所定のセル内の所定の遅延拡散を決定するステップと、
前記所定の遅延拡散が前記最長の遅延拡散に等しい場合に、前記所定のセル内の前記サイクリックプリフィックスの長さを、前記最長の遅延拡散に等しいまたはそれより長い値に設定するステップと、
前記所定の遅延拡散が前記最長の遅延拡散より短い場合に、前記所定のセル内の前記サイクリックプリフィックスの長さを、前記所定の遅延拡散に等しくまたはそれより長く、かつ前記最長の遅延拡散より短い値に設定するステップと、
を備える方法。
【請求項２】
前記所定のセル内の前記サイクリックプリフィックスの長さの値を、前記所定のセル内のアクセスポイントからブロードキャストするステップを更に備える請求項１に記載の方法。
【請求項３】
前記ブロードキャストするステップは、前記サイクリックプリフィックスの長さの値を、同期チャネルを用いて、および前記最長の遅延拡散に等しいまたはそれより長い長さのサイクリックプリフィックスを用いてブロードキャストすることを含む、請求項２に記載の方法。
【請求項４】
直交周波数分割多重方式（ＯＦＤＭ）セルラー通信システムにおいてサイクリックプリフィックスの長さを遅延拡散に適応させる方法であって、
前記セルラー通信システム内の全てのセル内の遅延拡散を決定するステップと、
前記セルラー通信システム内の全セルで最長の遅延拡散を決定するステップと、
前記最長の遅延拡散より短い、短いサイクリックプリフィックス長を定めるステップと、
所定のセルについて、前記セルの遅延拡散が前記短いサイクリックプリフィックス長より短いか否かを決定するステップと、
前記セルの遅延拡散が前記短いサイクリックプリフィックス長より長い場合に、前記セルのサイクリックプリフィックス長を、前記最長の遅延拡散に等しいまたはそれより長い値に設定するステップと、
前記セルの遅延拡散が前記短いサイクリックプリフィックス長より短い場合に、前記セルのサイクリックプリフィックス長を前記短いサイクリックプリフィックス長に等しい値に設定するステップと、
を備える方法。
【請求項５】
前記セル内の前記サイクリックプリフィックス長の値を、前記セル内のアクセスポイントからブロードキャストするステップを更に備える請求項４に記載の方法。
【請求項６】
前記ブロードキャストするステップは、前記サイクリックプリフィックス長の値を、同期チャネルを用いて、および前記最長の遅延拡散に等しいまたはそれより長い長さのサイクリックプリフィックスを用いてブロードキャストすることを含む、請求項５に記載の方法。
【請求項７】
短いサイクリックプリフィックス長を定めるステップは、前記最長の遅延拡散より短い複数の短いサイクリックプリフィックス長を定めることを含む、請求項４に記載の方法。
【請求項８】
前記セルのサイクリックプリフィックス長を前記短いサイクリックプリフィックス長に等しい値に設定するステップは、前記セルのサイクリックプリフィックス長を、前記定められた複数のサイクリックプリフィックス長の、前記セルの遅延拡散より大きい最初のサイクリックプリフィックス長に等しく設定することを含む、請求項７に記載の方法。
【請求項９】
直交周波数分割多重方式（ＯＦＤＭ）セルラー通信ネットワークの所定のセルにおいてサイクリックプリフィックス長を遅延拡散に適応させるためのシステムであって、
前記所定のセル内の所定の遅延拡散を決定するための遅延拡散測定ユニットと、
前記ネットワーク内の全セルで最長の遅延拡散の値を前記ネットワークから受信するための通信手段と、
前記所定の遅延拡散および前記最長の遅延拡散の値を受信し、前記所定のセル用のサイクリックプリフィックス長を決定するように適応されるサイクリックプリフィックス長決定ユニットであって、
前記所定の遅延拡散が前記最長の遅延拡散に等しい場合に、前記所定のセル内の前記サイクリックプリフィックス長を、前記最長の遅延拡散に等しいまたはそれより長い値に設定するように適応され、かつ
前記所定の遅延拡散が前記最長の遅延拡散より短い場合に、前記所定のセル内の前記サイクリックプリフィックス長を、前記所定の遅延拡散に等しくまたはそれより長く、かつ前記最長の遅延拡散より短い値に設定するように適応される、サイクリックプリフィックス長決定ユニットと、
を備えるシステム。
【請求項１０】
当該システムがネットワークコントロールノード内で実現される請求項９に記載のシステム。
【請求項１１】
当該システムが前記所定のセル内のアクセスポイント内で実現される請求項９に記載のシステム。
【請求項１２】
前記所定のセル内の前記サイクリックプリフィックス長の値を前記所定のセル内でブロードキャストするためのブロードキャストユニットを、前記アクセスポイント内に更に備える請求項１１に記載のシステム。
【請求項１３】
前記ブロードキャストユニットは、前記サイクリックプリフィックスの長さの値を、同期チャネルを用いて、および前記最長の遅延拡散に等しいまたはそれより長い長さのサイクリックプリフィックスを用いてブロードキャストする、請求項１２に記載のシステム。
【発明の詳細な説明】
【技術分野】
【０００１】
背景
本発明は、セルラー通信システムに関する。限定を目的とせずに、より具体的に言うと、本発明は、直交周波数分割多重方式（ＯＦＤＭ）セルラー通信システムにおいて、予期される遅延拡散にサイクリックプリフィックスの長さを適応させるためのシステムおよび方法に関する。
【背景技術】
【０００２】
第４世代（４Ｇ）のセルラー通信システムの物理層のために、ＯＦＤＭ変調がますます考慮されるようになっている。通常、各ＯＦＤＭシンボルは、（１）有効部および（２）サイクリックプリフィックス（ＣＰ）の２つの部分からなる。ＣＰは、有効部の末尾の「Ｍ」サンプルの複製である。ＣＰは、いかなるデータも搬送しないが、ＯＦＤＭサブキャリアが互いに干渉し合わないように保証するために必要である。ＣＰが長くなるほど、ＯＦＤＭシンボルの有効部によって搬送可能なデータが少なくなる。したがって、ＣＰの長さは、可能な限り短くすることが極めて望ましい。しかしながら、ＣＰの長さは、最低でもチャネルの遅延拡散と同じ長さである必要がある。
【０００３】
セルラー通信システムでは、地理的なサービス領域が複数のセルに分割される。各セルは、アクセスポイント（ＡＰ）を含み、各アクセスポイントは、そのセル内で動作しているユーザ端末（ＵＴ）に情報を送信したり同ＵＴから情報を受信したりする。各セルでは、ＡＰとＵＴとの間のダウンリンクまたはＵＴとＡＰとの間のアップリンクにおいてＯＦＤＭ変調を用いることができる。各セル内の遅延拡散は、リフレクタの数、リフレクタ間の距離、および各リフレクタの吸収係数等の、セルの構造に基づいて変化する。
【０００４】
各セルにおいてＣＰの長さが遅延拡散より長いことを保証するものとして、全てのセルで同じ長さのＣＰを使用する手法が知られている。しかしながら、この手法を用いると、どのセルでも、ＣＰの長さを最長の遅延拡散より長く選択する必要がある。換言すると、ＣＰ長は、全セルで最悪のケースの遅延拡散に合わせて選択される。遅延拡散は、セルごとに異なるので、ＣＰ長が遅延拡散より大幅に長いセルが多数あることになる。このため、多くのセルで不必要なオーバーヘッドが発生し、これは、セルラーシステムで伝送可能な有効データの量を減少させる。
【０００５】
各セルでＣＰの長さが遅延拡散より長いことを保証するためのもう１つの既知のアプローチは、各ＡＰが、それ自体のセル内の遅延拡散を決定し、そのセル内のＣＰの長さを、決定された遅延拡散より長く設定するものである。結果、セルごとにＣＰ長が異なる。このアプローチの問題点は、所定のセルに入るＵＴが、そのセル内で用いられているＣＰ長を知らないことにある。ＵＴは、何もわからない状態で入らなければならず、接続を確立できるまでに、ＣＰ長を決定する手続きを長々と実施する必要がある。これは、ＵＴおよびＡＰが有効データの通信を開始可能になるまでの更なる遅延（例：ＵＴおよびＡＰが音声通話を開始可能になるまでの遅延）を生じる。
【発明の開示】
【発明が解決しようとする課題】
【０００６】
したがって、ＯＦＤＭセルラー通信システムにおいて、予期される遅延拡散にサイクリックプリフィックスの長さを適応させるためのシステムおよび方法であって、既存の技術の欠点を克服することができるシステムおよび方法が、当該分野において必要とされている。本発明は、このようなシステムおよび方法を提供する。
【課題を解決するための手段】
【０００７】
要約
本発明は、ＯＦＤＭセルラー通信システムにおいて、予期される遅延拡散にサイクリックプリフィックスの長さを適応させるためのシステムおよび方法を提供する。さらに、本発明は、ＣＰをセル単位で適応させ、各セルで用いられるＣＰの実長を、そのセル内で動作しているＵＴへとブロードキャストする。
【０００８】
このため、本発明の１つの態様は、ＯＦＤＭセルラー通信システムにおいてサイクリックプリフィックスの長さを遅延拡散に適応させる方法に関する。該方法は、セルラー通信システム内の全セルで最長の遅延拡散である最長の遅延拡散を決定するステップと、所定のセル内の所定の遅延拡散を決定するステップと、前記所定の遅延拡散が前記最長の遅延拡散に等しい場合に、前記所定のセル内のサイクリックプリフィックスの長さを、前記最長の遅延拡散に等しいまたはそれより長い値に設定するステップとを含む。しかしながら、前記所定の遅延拡散が前記最長の遅延拡散より短い場合、方法は、前記所定のセル内のサイクリックプリフィックスの長さを、前記所定の遅延拡散に等しくまたはそれより長く、かつ前記最長の遅延拡散より短い値に設定する。方法は、また、前記所定のセル内のサイクリックプリフィックスの長さの値を、前記最長の遅延拡散に等しいまたはそれより長い長さのサイクリックプリフィックスを用いてブロードキャストするステップを含むこともできる。
【０００９】
本発明のもう１つの態様は、ＯＦＤＭセルラー通信システムにおいてサイクリックプリフィックスの長さを遅延拡散に適応させる方法に関する。該方法は、セルラー通信システム内の全てのセル内の遅延拡散を決定するステップと、セルラー通信システム内の全セルで最長の遅延拡散を決定するステップと、前記最長の遅延拡散より短い、短いサイクリックプリフィックス長を定めるステップとを含む。方法は、また、所定のセルについて、そのセルの遅延拡散が前記短いサイクリックプリフィックス長より短いか否かを決定するステップを含む。そのセルの遅延拡散が前記短いサイクリックプリフィックス長より長い場合、そのセルのサイクリックプリフィックス長は、前記最長の遅延拡散に等しいまたはそれより長い値に設定される。しかしながら、そのセルの遅延拡散が前記短いサイクリックプリフィックス長より短い場合、そのセルのサイクリックプリフィックス長は、前記短いサイクリックプリフィックス長に等しい値に設定される。方法は、また、そのセル内のサイクリックプリフィックス長の値を、前記最長の遅延拡散に等しいまたはそれより長い長さのサイクリックプリフィックスを用いてブロードキャストするステップを含むこともできる。
【００１０】
本発明の更にもう１つの態様は、ＯＦＤＭセルラー通信ネットワークの所定のセルのアクセスポイントにおいてサイクリックプリフィックス長を遅延拡散に適応させるシステムに関する。該システムは、前記所定のセル内の所定の遅延拡散を決定するための遅延拡散測定ユニットと、ネットワーク内の全セルで最長の遅延拡散の値をネットワークから受信するための通信手段と、前記所定の遅延拡散および前記最長の遅延拡散の値を受信し、前記所定のセル用のサイクリックプリフィックス長を決定するように適応されるサイクリックプリフィックス長決定ユニットとを含む。該決定ユニットは、前記所定の遅延拡散が前記最長の遅延拡散に等しい場合に、前記所定のセル内のサイクリックプリフィックス長を、前記最長の遅延拡散に等しいまたはそれより長い値に設定するように適応される。しかしながら、前記所定の遅延拡散が前記最長の遅延拡散より短い場合は、上記決定ユニットは、前記所定のセル内のサイクリックプリフィックス長を、前記所定の遅延拡散に等しくまたはそれより長く、かつ前記最長の遅延拡散より短い値に設定する。システムは、また、前記所定のセル内のサイクリックプリフィックスの長さの値を、前記最長の遅延拡散に等しいまたはそれより長い長さのサイクリックプリフィックスを用いてブロードキャストするためのブロードキャストユニットを含むこともできる。
【発明を実施するための最良の形態】
【００１１】
詳細な説明
以下では、添付の図面を参照にして好ましい実施形態を示すことによって、本発明の基本的特徴が詳細に説明される。
【００１２】
本発明は、ＯＦＤＭセルラー通信ネットワークにおいて、予期される遅延拡散にサイクリックプリフィックスの長さを適応させる方法を提供する。また、本発明は、ＣＰをセル単位で適応させ、各セルで用いられるＣＰの実長を、そのセル内で動作しているＵＴへとブロードキャストする。
【００１３】
セルラーシステムにおいて、各セル内のＡＰは、通常、ダウンリンク同期チャネル（ＤＳＣＨ）上でアクセス情報を伝送する。アクセス情報は、ＡＰのＩＤ、同期化タイミング情報、および周波数補正等の情報を含むことができる。各ＵＴは、ＡＰとの通信を試みる前に、ＤＳＣＨからアクセス情報を読み取る。
【００１４】
本発明において、各セル内のＡＰは、そのセルで用いられているＣＰの長さをＤＳＣＨ上で伝送する。遅延拡散は各セルの構造の関数であり、各セルの構造は一般に固定であるので、各ＡＰは、そのＡＰのセル内の拡散遅延より僅かに長いまたはそれに等しい適切なＣＰ長を選択することができる。全てのＵＴがＤＳＣＨ上の情報を読み取り可能であることを保証するため、ＤＳＣＨブロードキャストに用いられるＣＰの長さは、全セルで最長の遅延拡散に等しい固定長に設定される。したがって、各セルで用いられている短いＣＰ長をＵＴに通知するために、最悪のケースのＣＰ長が用いられる。
【００１５】
図１は、本発明の第１の実施形態のステップを示した流れ図である。ステップ１１では、ネットワーク内の全セルで最長の遅延拡散が決定される。ステップ１２では、ＤＳＣＨブロードキャスト用に用いられるＣＰの長さが、全セルで最長の遅延拡散に等しい固定長に設定される。ステップ１３では、各ＡＰが、そのＡＰのセル用の遅延拡散を決定する。ステップ１４では、各ＡＰは、次いで、そのＡＰのセル内の遅延拡散より僅かに長いまたはそれに等しい適切なＣＰ長を選択する。ステップ１５では、各セル内のＡＰは、そのセル内で用いられているＣＰの長さをＤＳＣＨ上で伝送する。全てのＵＴがＤＳＣＨ上の情報を読み取り可能であることを保証するため、ＤＳＣＨブロードキャスト用に用いられるＣＰの長さは、全セルで最長の遅延拡散に等しい固定長に設定される。
【００１６】
図２は、本発明の第２の実施形態のステップを示した流れ図である。この実施形態は、長い遅延拡散を伴うセルでは長いＣＰ長を、短い遅延拡散を伴うセルでは短いＣＰ長をそれぞれ用いる。ステップ２１では、ネットワーク内の全セルで最長の遅延拡散が決定される。ステップ２２では、短いＣＰ長が定められる。前記短いＣＰ長は、前記短いＣＰ長より短い遅延拡散を有するネットワーク内の所定の割合のセルが、ＯＦＤＭシンボル用に短いＣＰ長を用いることができるように、定めることができる。例えば、ネットワーク内の５０パーセントのセルが前記短いＣＰ長を用いることが望ましく、５０パーセントのセルが５００サンプルより短い遅延拡散を有する場合は、前記短いＣＰ長を５００サンプルに設定することができる。
【００１７】
ステップ２３では、長いＣＰ長が定められる。前記長いＣＰ長は、全セルで最長の遅延拡散に等しいまたはそれより長い。例えば、全セルで最長の遅延拡散が１０１２サンプルである場合は、前記長いＣＰ長を１０１２サンプルに設定することができる。ステップ２４では、所定のセル内の遅延拡散が前記短いＣＰ長より短いか否かが決定される。短くない場合、プロセスは、ステップ２５に進み、前記所定のセル内のＣＰ長は、前記長いＣＰ長に等しく設定される。しかしながら、前記所定のセル内の遅延拡散が前記短いＣＰ長より短い場合、プロセスは、ステップ２６に進み、前記所定のセル内のＣＰ長は、前記短いＣＰ長に等しく設定される。ステップ２７では、前記所定のセル用のＡＰは、選択されたＣＰ長を、ブロードキャスト用の前記長いＣＰ長を用いてＤＳＣＨ上でブロードキャストする。
【００１８】
図３および図４は、図２の実施形態によって適応された、セル内のダウンリンクチャネル用のＯＦＤＭシンボルを例示している。いずれの図でも、各ＯＦＤＭシンボルがＱ＝４５９６のサンプルからなること、そして全セルで最長の遅延拡散が１０１２サンプルより短いまたは１０１２サンプルに等しいことを想定している。このため、いずれの図でも、ＤＳＣＨ用のＣＰ長は、１０１２サンプルに設定されている。図３に示された例では、セルは、前記短いＣＰ長より長い（すなわち、５００サンプルより長い）遅延拡散を有する。したがって、データチャネル上のＣＰとして、前記長いＣＰ長（すなわち、１０１２サンプル）が用いられる。
【００１９】
図４に示された例では、セルは、前記短いＣＰ長より短い（すなわち、５００サンプルより短い）遅延拡散を有する。したがって、データチャネル上のＣＰとして、前記短いＣＰ長（すなわち、５００サンプル）が用いられる。結果、更なる有効データを搬送することが可能になる。前述のように、ＤＳＣＨは、常に、全セルで最長の遅延拡散に等しいまたはそれより長いＣＰ長（すなわち、１０１２サンプル）を使用する。
【００２０】
遅延拡散が５００サンプルより長いと予期されるセルでは、ＤＳＣＨの有効部は、シーケンスセット｛Ａ（ｊ）：ｊ＝１，．．．，Ｊ｝からの、長さ７×５１２のシーケンスＡ（ｉ）である。同様に、データチャネルの有効部は長さ７×５１２である。遅延拡散が５００サンプルより短いと予期されるセルでは、ＤＳＣＨの有効部は、シーケンスセット｛Ｂ（ｊ）：ｊ＝１，．．．，Ｊ｝からの、やはり長さ７×５１２のシーケンスＢ（ｉ）である。これらのセルでは、データチャネルの有効部は長さ８×５１２である。
【００２１】
前述のように、図３および図４では、各ＯＦＤＭシンボル内のサンプルの合計数は、ＣＰの長さに関わらず、Ｑ＝４５９６サンプルに固定されている。１０１２サンプルを示すためにＭ１を、５００サンプルを示すためにＭ２をそれぞれ用いると、各ＯＦＤＭシンボルの有効部の長さは、Ｑ−Ｍ１サンプルまたはＱ−Ｍ２サンプルである。ＯＦＤＭシンボルを復調するため、レシーバは、通常、ＯＦＤＭシンボルの有効部の長さに等しいサイズの離散型フーリエ変換（ＤＦＴ）を用いる。ＤＦＴの長さは、ＤＦＴを効率的に計算可能にする長さであることが望ましい。図示された代表的なケースでは、（Ｑ−Ｍ１）点のＤＦＴおよび（Ｑ−Ｍ２）点のＤＦＴが効率的に計算可能であることを保証することが望ましい。通常、小さい素数の積として表すことができるＤＦＴ長は、混合基数の手法を使用して効率的に計算することができる。図１では、データチャネル内のＤＦＴの長さは７×５１２である。したがって、これらのＤＦＴは、基数２および基数７の高速フーリエ変換（ＦＦＴ）を使用して効率的に計算することができる。図２では、データチャネル内のＤＦＴの長さは８×５１２＝４０９６である。したがって、これらのＤＦＴは、基数２のＦＦＴを使用して効率的に計算することができる。
【００２２】
図を簡略化するため、図２〜４に示された実施形態は、ＣＰ長として２種類の選択肢のみ用いている。しかしながら、ＡＰがそのそれぞれのセル内で使用するＣＰ長を追加で定めることによって、より細かな精度を実現可能であることが理解されるべきである。例えば、ＣＰ長は、１００サンプルごとに定めてよく、そうすれば、５００より多くかつ６００より少ないサンプル数の遅延拡散を有するセルで、６００サンプルのＣＰ長を用いることができる。あるいは、第１の実施形態で説明されたように、各ＡＰは、そのセル内のＣＰ長を、そのセルの遅延拡散測定値に等しいまたはそれより長い任意の長さに設定することができる。
【００２３】
図５は、本発明のシステムの簡略化されたブロック図である。１つの実施形態では、該システムは、ＯＦＤＭセルラー通信ネットワークの所定のセル内のアクセスポイント（ＡＰ）３１内で実現される。システムは、また、各セル用のサイクリックプリフィックス長を決定すると共に各セル内のＡＰにどのサイクリックプリフィックス長を用いるかを通知するネットワークコントロールノード内で実現することもできる。遅延拡散測定ユニット３２は、ＡＰのセル内のセル遅延拡散３３を決定する。セル遅延拡散は、ＣＰ長決定ユニット３４に送信される。ＣＰ長決定ユニットは、また、ネットワーク内の全セルで最長の遅延拡散３６の値をネットワークコントロールノード３５から受信する。ＣＰ長決定ユニットは、ＡＰのセル用のセルＣＰ長３７を決定し、そのセルＣＰ長をブロードキャストユニット３８に提供する。ブロードキャストユニットは、セルＣＰ長を、ＤＳＣＨ３９を通じてＵＴ４０へとブロードキャストする。全てのＵＴがブロードキャストを受信可能であることを保証するため、ＤＳＣＨは、前記最長の遅延拡散に等しいまたはそれより長い長さのＣＰを用いる。
【００２４】
セル遅延拡散３３が最長の遅延拡散３６に等しい場合、ＣＰ長決定ユニット３４は、セルＣＰ長３７を、最長の遅延拡散３６に等しいまたはそれより長い値に設定する。しかしながら、セル遅延拡散３３が最長の遅延拡散３６より短い場合、前記決定ユニットは、前記セルＣＰ長を、前記所定の遅延拡散に等しくまたはそれより長く、かつ前記最長の遅延拡散より短い値に設定する。
【００２５】
本発明の好ましい実施形態が、添付の図面に示されると共に詳細な説明で説明されたが、本発明は、開示された実施形態に限定されず、本発明の範囲から逸脱することなく数々の再構成、変更、および置き換えが可能であることが理解される。本明細書は、添付の特許請求の範囲に定められた発明の範囲内に含まれるありとあらゆる変更形態を考慮している。
【図面の簡単な説明】
【００２６】
【図１】本発明の第１の実施形態のステップを示した流れ図である。
【図２】本発明の第２の実施形態のステップを示した流れ図である。
【図３】長い遅延拡散を有するセル内のダウンリンクチャネル用のＯＦＤＭシンボルを例示している。
【図４】短い遅延拡散、および本発明によって適応された短縮されたサイクリックプリフィックスを有するセル内のダウンリンクチャネル用のＯＦＤＭシンボルを例示している。
【図５】本発明のシステムの簡略化されたブロック図である。
【図１】
2008545313.tif 000003
【図２】
2008545313.tif 000004
【図３】
2008545313.tif 000005
【図４】
2008545313.tif 000006
【図５】
2008545313.tif 000007
【手続補正書】
【提出日】平成19年4月27日(2007.4.27)
【手続補正１】
【補正対象書類名】特許請求の範囲
【補正対象項目名】全文
【補正方法】変更
【補正の内容】
【特許請求の範囲】
【請求項１】
直交周波数分割多重方式（ＯＦＤＭ）セルラー通信システムにおいてサイクリックプリフィックスの長さを遅延拡散に適応させる方法であって、
前記セルラー通信システム内の全セルで最長の遅延拡散である最長の遅延拡散を決定するステップと、
所定のセル内の所定の遅延拡散を前記所定のセルの構造に基づいて決定するステップと、
前記所定の遅延拡散が前記最長の遅延拡散に等しい場合に、前記所定のセル内の前記サイクリックプリフィックスの長さを、前記最長の遅延拡散に等しいまたはそれより長い値に設定するステップと、
前記所定の遅延拡散が前記最長の遅延拡散より短い場合に、前記所定のセル内の前記サイクリックプリフィックスの長さを、前記所定の遅延拡散に等しくまたはそれより長く，かつ前記最長の遅延拡散より短い値に設定するステップと、
前記所定のセル内の前記サイクリックプリフィックスの長さの値を、前記所定のセル内のアクセスポイントからブロードキャストするステップと、
を備える方法。
【請求項２】
前記ブロードキャストするステップは、前記サイクリックプリフィックスの長さの値を、同期チャネルを用いて、および前記最長の遅延拡散に等しいまたはそれより長い長さのサイクリックプリフィックスを用いてブロードキャストすることを含む、請求項１に記載の方法。
【請求項３】
直交周波数分割多重方式（ＯＦＤＭ）セルラー通信ネットワークの所定のセルにおいてサイクリックプリフィックス長を遅延拡散に適応させるためのシステムであって、
前記所定のセル内の所定の遅延拡散を前記所定のセルの構造に基づいて決定するための遅延拡散測定ユニットと、
前記ネットワーク内の全セルで最長の遅延拡散の値を前記ネットワークから受信するための通信手段と、
前記所定の遅延拡散および前記最長の遅延拡散の値を受信し、前記所定のセル用のサイクリックプリフィックス長を決定するように適応されるサイクリックプリフィックス長決定ユニットであって、
前記所定の遅延拡散が前記最長の遅延拡散に等しい場合に、前記所定のセル内の前記サイクリックプリフィックス長を、前記最長の遅延拡散に等しいまたはそれより長い値に設定するように適応され、
前記所定の遅延拡散が前記最長の遅延拡散より短い場合に、前記所定のセル内の前記サイクリックプリフィックス長を、前記所定の遅延拡散に等しくまたはそれより長く、かつ前記最長の遅延拡散より短い値に設定するように適応される、サイクリックプリフィックス長決定ユニットと、
前記アクセスポイント内に、前記所定のセル内の前記サイクリックプリフィックス長の値を前記所定のセル内でブロードキャストするためのブロードキャストユニットと、
を備えるシステム。
【請求項４】
当該システムがネットワークコントロールノード内で実現される請求項３に記載のシステム。
【請求項５】
当該システムが前記所定のセル内のアクセスポイント内で実現される請求項３に記載のシステム。
【請求項６】
前記ブロードキャストユニットは、前記サイクリックプリフィックスの長さの値を、同期チャネルを用いて、および前記最長の遅延拡散に等しいまたはそれより長い長さのサイクリックプリフィックスを用いてブロードキャストするように適応される、請求項３に記載のシステム。
【国際調査報告】
2008545313.tif 000008
2008545313.tif 000009